(57)【特許請求の範囲】
【請求項１】
交流電源から供給される交流電力を直流電力に変換する順変換回路と、複数のスイッチング素子が設けられ、これらのスイッチング素子を交互に導通させることにより、前記順変換回路からの直流電力を交流電力に変換する逆変換回路とを備えた電流型インバータ回路が複数系統設けられ、負荷への交流電力の供給にあたり、前記電流型インバータ回路の並列駆動が可能となった並列型インバータ装置であって、
前記逆変換回路には、前記交互に導通される複数のスイッチング素子が同時に導通する期間である転流期間を表す重なり角を前記負荷に応じて補正する重なり角補正手段が設けられ、この重なり角補正手段は、前記複数系統設けられた電流型インバータ回路の出力電流のうち最も大きなものに基づいて前記重なり角を補正するものであり、前記電流型インバータ回路は、マスターおよびスレーブの二系統が設けられ、これらのうち、マスターとなる電流型インバータ回路の前記重なり角補正手段には、前記電流型インバータ回路の各出力電流を比較するとともに、これらの電流のうち大きな方を選択する比較選択回路と、この比較選択回路が選択した電流に基づいて前記重なり角を補正する重なり角補正回路とが設けられ、スレーブとなる電流型インバータ回路の前記重なり角補正手段には、前記マスター側の比較選択回路が選択した電流に基づいて前記重なり角を補正する重なり角補正回路が設けられていることを特徴とする並列型インバータ装置。
【請求項２】
請求項１に記載の並列型インバータ装置において、前記逆変換回路には、前記複数のスイッチング素子を交互に導通させるにあたり、これらのスイッチング素子の導通周期が、前記負荷の共振周波数となるように制御する位相制御手段が設けられていることを特徴とする並列型インバータ装置。
【発明の詳細な説明】
【０００１】
【発明の属する技術分野】
本発明は、並列接続可能とされた複数系統の電流型インバータ回路を備え、これらの電流型インバータ回路が並列運転可能となっている並列型インバータ装置に関する。
【０００２】
【背景技術】
従来より、インダクタンス成分を有する誘導電動機や誘導加熱装置等の誘導負荷の出力を容量制御するにあたり、負荷に供給する交流電力の周波数が調節可能となったインバータ装置が利用されている。
インバータ装置は、商用電源から供給される交流電力を、一旦、順変換回路で直流電力に変換し、この直流電力をさらに逆変換回路で交流電力に変換することにより、所望の周波数の交流電力が得られるようにしたものが一般的である。
このようなインバータ装置の最大出力は、主に、逆変換回路に採用される電力制御用のスイッチング素子の容量によって決定される。
このため、スイッチング素子の容量よりも、さらに大きな出力が必要な場合には、特開平９−１９１４９号等に示されるように、複数系統のインバータ回路を並列接続した並列型のインバータ装置が利用されている。
【０００３】
図３には、このような並列型インバータ装置の一例が示されている。図において、インバータ装置９０は、メインインバータ回路９１およびスレーブインバータ回路９２の二系統を並列接続したものとなっている。インバータ回路９１，９２の各々は、出力インピーダンスが大きい電流型のものであり、変圧器１，２を介して、三相交流電力を供給する商用電源に接続されている。また、インバータ回路９１，９２の各々は、マッチングトランス１３を介して、負荷である誘導加熱装置（図示略）に接続されている。
インバータ回路９１，９２の各々には、三相交流電力を直流電力に変換する順変換回路１４と、この順変換回路１４からの直流電力を、高周波と見なせる高い周波数の交流電力に変換する逆変換回路１５とが設けられている。
インバータ回路９１，９２の各順変換回路１４は、能動素子であるサイリスタ１６が整流素子として設けられたものであり、ゲートへの制御電圧を加えるタイミングを変える、換言すれば、その制御角を０〜πの範囲で変えることにより、その出力電圧が調節可能となっている。
【０００４】
インバータ回路９１，９２の各逆変換回路１５は、図４に示されるように、複数のスイッチング素子１５Ａ，  １５Ｂでブリッジを組んだものである。
各逆変換回路１５には、スイッチング素子１５Ａ，  １５ＢとしてＩＧＢＴ（Ｉｎｓｕｌａｔｅｄ  Ｇａｔｅ  Ｂｉｐｏｌａｒ  Ｔｒａｎｓｉｓｔｏｒ）１７が二個ずつ設けられるとともに、これらのＩＧＢＴ１７を保護するためのダイオード１８とが設けられている。
これらのスイッチング素子１５Ａ，  １５Ｂを交互に導通させることにより、順変換回路１４からの直流電力を交流電力に変換するようになっている。
換言すれば、一組のスイッチング素子１５Ａ  の導通により、負荷側に電流ｉ１が供給され、他の組のスイッチング素子１５Ｂ  の導通により、負荷側には、電流ｉ１とは逆相の電流ｉ２が供給され、これらの電流ｉ１および電流ｉ２が交互に供給されるようになっている。
このようなインバータ装置９０では、各逆変換回路１５から出力される交流電力は、その周波数が負荷である誘導加熱装置の共振周波数となるように、かつ、位相が同期するように制御される。
また、インバータ回路９１，９２が電流型であることから、逆変換回路１５の出力電流波形は、方形波状となっている。
【０００５】
ここで、各逆変換回路１５には、各逆変換回路１５の二次側（負荷側）からみた漏れインダクタンスの和である転流インダクタンスが存在している。この転流インダクタンスにより、スイッチング素子１５Ａ，  １５Ｂの導通を切り換えても、出力電流は、電流ｉ１および電流ｉ２の一方から他方へ瞬時に切り替わることはなく、一つの相から他の相に出力電流を切り替える転流を行うには、ある程度の時間（転流期間）が必要となる。
電流型インバータ装置では、転流期間が不適切であるために、電流の位相が遅れると、大きなサージ電圧が発生する等の不具合が生じる。このような不具合は、負荷インピーダンスの変動により、必要となる転流期間が変動し、この転流期間の変動によって電流の位相が遅れることでも生じる。
このため、電流型インバータ回路では、負荷変動に遅れずに出力電流を追従させるために、転流期間にスイッチング素子１５Ａ，  １５Ｂを同時に導通させ、このスイッチング素子１５Ａ，  １５Ｂが同時に導通する期間である転流期間を表す重なり角βを負荷に応じて補正し、積極的に転流を制御している。
なお、重なり角βは、次の数１で表される。ただし、ω、Ｌ、ＩｄおよびＶｅは、それぞれ角周波数、転流インダクタンス、負荷電流（出力電流）および負荷電圧（出力電圧）である。
【０００６】
【数１】
0003602333.tif 000002
【０００７】
インバータ回路を一系統のみ備えた一般的なインバータ装置では、重なり角を負荷に応じて補正するにあたり、出力電圧が一定となるように制御されていることから、出力電流の大きさに基づいて出力電流の補正を行えば、負荷のインピーダンス変動に遅れずに出力電流を追従させることができる。
【０００８】
【発明が解決しようとする課題】
しかしながら、並列型インバータ装置９０では、二系統のインバータ回路９１，９２の逆変換回路１５に設けられる各回路素子の直流抵抗分にばらつきがあり、双方の逆変換回路１５の電圧降下Ｖ１，Ｖ２（図３参照）が一致せず、インバータ回路９１，９２の出力電流の大きさが相違してしまう。
このため、重なり角βを負荷に応じて補正するにあたり、インバータ回路９１，９２の各々について、その出力電流の大きさに基づいて重なり角βを補正してしまうと、インバータ回路９１，９２の出力電流の大きさが各々相違することから、転流期間が互いに異なるように制御されるので、出力電流が同期しなくなるという問題がある。
出力電流を同期させるために、インバータ回路９１，９２の一方の出力電流を検出し、この検出した出力電流の大きさに基づいて重なり角βを補正することが考えられる。しかしながら、インバータ回路９１，９２の他方の出力電流は、重なり角βの補正には関与せずに無視されるので、検出されない方の出力電流が検出される出力電流よりも大きいことがある。
このように、検出されない方の出力電流が検出される出力電流よりも大きいと、インバータ回路９１，９２のいずれかの転流期間が不足し、出力電流が負荷のインピーダンス変動に追従できずに遅れ、前述の不具合が発生するおそれがある。
【０００９】
本発明の目的は、複数系統のインバータ回路が設けられていても、各出力電流の同期損なわずに、重なり角βの補正が適切に行えるようになる並列型インバータ装置を提供することにある。
【００１０】
【課題を解決するための手段】
本発明は、交流電源から供給される交流電力を直流電力に変換する順変換回路と、複数のスイッチング素子が設けられ、これらのスイッチング素子を交互に導通させることにより、前記順変換回路からの直流電力を交流電力に変換する逆変換回路とを備えた電流型インバータ回路が複数系統設けられ、負荷への交流電力の供給にあたり、前記電流型インバータ回路の並列駆動が可能となった並列型インバータ装置であって、前記逆変換回路には、前記交互に導通される複数のスイッチング素子が同時に導通する期間である転流期間を表す重なり角を前記負荷に応じて補正する重なり角補正手段が設けられ、この重なり角補正手段は、前記複数系統設けられた電流型インバータ回路の出力電流のうち最も大きなものに基づいて前記重なり角を補正するものであり、前記電流型インバータ回路は、マスターおよびスレーブの二系統が設けられ、これらのうち、マスターとなる電流型インバータ回路の前記重なり角補正手段には、前記電流型インバータ回路の各出力電流を比較するとともに、これらの電流のうち大きな方を選択する比較選択回路と、この比較選択回路が選択した電流に基づいて前記重なり角を補正する重なり角補正回路とが設けられ、スレーブとなる電流型インバータ回路の前記重なり角補正手段には、前記マスター側の比較選択回路が選択した電流に基づいて前記重なり角を補正する重なり角補正回路が設けられていることを特徴とする。
【００１１】
このような本発明では、複数系統設けられた電流型インバータ回路の出力電流のうち最も大きなものに基づいて、重なり角を補正するようにしたので、各電流型インバータ回路の出力電流が相違していても、同一の重なり角で転流が制御されるので、出力電流の同期が損なわれることがない。
そのうえ、複数系統の電流型インバータ回路のうち最も大きい出力電流で重なり角を補正するので、転流期間が不足することはなく、出力電流が負荷のインピーダンス変動に対して進むことはあっても、遅れることはなく、大きなサージ電圧が発生する等の不具合が発生しない。
【００１２】
以上において、前記電流型インバータ回路は、マスターおよびスレーブの二系統が設けられ、これらのうち、マスターとなる電流型インバータ回路の前記重なり角補正手段には、前記電流型インバータ回路の各出力電流を比較するとともに、これらの電流のうち大きな方を選択する比較選択回路と、この比較選択回路が選択した電流に基づいて前記重なり角を補正する重なり角補正回路とが設けられ、スレーブとなる電流型インバータ回路の前記重なり角補正手段には、前記マスター側の比較選択回路が選択した電流に基づいて前記重なり角を補正する重なり角補正回路が設けられているから、マスターとなる電流型インバータ回路に設けられた比較選択回路で、最大となる出力電流を選択し、スレーブとなる電流型インバータ回路へ最大出力電流値に応じた信号を出力するようにすれば、スレーブ側の電流型インバータ回路には、比較選択回路が不要となり、並列型インバータ装置の構成を簡略化することが可能となる。
【００１３】
また、前記逆変換回路には、前記複数のスイッチング素子を交互に導通させるにあたり、これらのスイッチング素子の導通周期が、前記負荷の共振周波数となるように制御する位相制御手段が設けられていることが好ましい。
このようにすれば、負荷には、その共振周波数となる交流電力が供給されるようになるので、当該負荷の高効率運転が図れるうえ、並列型インバータ装置は、負荷のインピーダンスが変動しても、当該変動に応じて重なり角βが適切に補正されるようになるので、負荷のインピーダンスが変動しても、当該負荷の高効率運転を安定状態で維持することが可能となる。
【００１４】
【発明の実施の形態】
以下、本発明の実施の一形態を図面に基づいて説明する。なお、以下の説明では、既に説明した素子や回路と同じものには、同一符号を付し、その説明を省略若しくは簡略にする。
図１には、本実施形態に係るインバータ装置１０が示されている。このインバータ装置１０は、三相交流電源から供給される交流電力を、誘導加熱装置の駆動に必要な高周波電力に変換する電流型インバータ装置である。
インバータ装置１０には、並列接続された二系統の電流型インバータ回路１１，１２が設けられている。インバータ回路１１は、メインインバータ回路とされ、△−Ｙ結線方式の変圧器１を介して、三相交流電力に接続されている。インバータ回路１２は、スレーブインバータ回路となされ、△−△結線方式の変圧器２を介して、三相交流電力に接続されている。
これらのインバータ回路１１，１２の各々は、その出力電圧を降圧するマッチングトランス１３を介して負荷に接続されている。
【００１５】
インバータ回路１１，１２の各々には、三相交流電力を直流電力に変換する順変換回路１４と、この順変換回路１４からの直流電力を交流電力に変換する逆変換回路１５とが設けられている。
順変換回路１４には、制御電極であるゲートを備えた能動的な整流素子であるサイリスタ１６と、このサイリスタ１６が整流した脈動する直流電力を平滑する平滑素子であるリアクトル１９とが設けられている。ここで、リアクトル１９としては、そのインダクタンスが比較的大きなものが採用されている。このようなリアクトル１９を順変換回路１４に設けることにより、インバータ装置１０は、出力インピーダンスの大きい電流型インバータ装置となっている。
ここで、インバータ回路１１，１２の各サイリスタ１６は、動作時には、その出力電圧が所定電圧となるように、かつ、双方の制御角が同一となるように制御されるものとなっている。
【００１６】
逆変換回路１５は、前述したように、その両端の電気的接続を開閉するスイッチング素子であるＩＧＢＴ１７と、これらのＩＧＢＴ１７を保護するためのダイオード１８とでフルブリッジを組んだものであり、このブリッジの四つの辺の各々には、二つのＩＧＢＴ１７と、一つのダイオード１８とが設けられている（図４参照）。
このうち、ダイオード１８は、一方のＩＧＢＴ１７のコレクタに接続され、これにより、逆変換回路１５は、スイッチング素子部分の耐電圧が向上されている。
また、二つのＩＧＢＴ１７は、一方のエミッタが他方のコレクタに接続されている。そして、ＩＧＢＴ１７の各ゲートには、後述する制御回路が送出する制御電圧信号が同時に入力されるようになっている。
なお、インバータ回路１１，１２の各々には、上述した順変換回路１４および逆変換回路１５の他に、電源側から順次接続されたブレーカ２２、メインスイッチ２３およびヒューズ２４が設けられている。
また、インバータ回路１１，１２の各々に接続されたマッチングトランス１３の後段には、インバータ回路１１，１２と、負荷との接続を切り替える切り替え回路２５が設けられている。この切り替え回路２５により、インバータ装置１０は、インバータ回路１１，１２の一方の単独駆動と、インバータ回路１１，１２の同時並列駆動との両方が選択的に可能となっている。
【００１７】
ここで、インバータ回路１１には、その順変換回路１４が出力する直流電圧および直流電流を検出するために、直流電圧検出端子２６および直流電流検出端子２７が設けられるとともに、当該インバータ回路１１，１２が出力する交流電圧および交流電流を検出するために、交流電圧検出端子２８および交流電流検出端子２９が設けられている。
直流電圧検出端子２６は、順変換回路１４の出力段に直接接続され、直流電流検出端子２７は、順変換回路１４に設けられた電流検出器３０に接続されている。ここで、電流検出器３０は、順変換回路１４に設けられたリアクトル１９の電圧降下から順変換回路１４の直流電流出力を検出するものである。
また、交流電圧検出端子２８は、逆変換回路１５の出力段に変圧器３１を介して接続され、交流電流検出端子２９は、逆変換回路１５の出力段に変流器３２を介して接続されている。
【００１８】
一方、インバータ回路１２には、インバータ回路１１と同様に、その順変換回路１４が出力する直流電圧および直流電流を検出するために、直流電圧検出端子３３および直流電流検出端子３４が設けられるとともに、当該インバータ回路１１，１２が出力する交流電圧および交流電流を検出するために、交流電圧検出端子３５および交流電流検出端子３６が設けられている。
直流電圧検出端子３３は、順変換回路１４の出力段に直接接続され、直流電流検出端子３４は、順変換回路１４に設けられた電流検出器３０に接続され、交流電圧検出端子３５は、逆変換回路１５の出力段に変圧器３１を介して接続され、交流電流検出端子３６は、逆変換回路１５の出力段に変流器３２を介して接続されている。
【００１９】
図２には、インバータ回路１１，１２の各々を制御するための制御回路４１，  ４２が示されている。制御回路４１は、マスターインバータ回路１１を制御するものであり、制御回路４２は、スレーブインバータ回路１２を制御するものである。
制御回路４１には、インバータ回路１１の順変換回路１４を制御する順変換制御回路４３と、同インバータ回路１１の逆変換回路１５を制御する逆変換制御回路４４と、インバータ回路１１から送出される各種の信号を受けるために、直流電圧入力端子４５、直流電流入力端子４６、交流電圧入力端子４７および交流電流入力端子４８と、手動操作等により送出される並列運転信号を受ける並列運転信号入力端子４９とが設けられている。
ここで、直流電圧入力端子４５、直流電流入力端子４６、交流電圧入力端子４７および交流電流入力端子４８の各々は、インバータ回路１１の直流電圧検出端子２６、直流電流検出端子２７、交流電圧検出端子２８および交流電流検出端子２９とそれぞれ電気的に接続されている。
【００２０】
順変換制御回路４３は、順変換回路１４の出力電圧が所定の電圧値となるように制御する機能と、逆変換回路１５を保護するために、順変換回路１４から過大な電流が出力されるのを防ぐ機能とを有するものである。
順変換回路１４の出力電圧を制御するために、順変換制御回路４３には、出力電圧を設定するための可変抵抗器５１と、この可変抵抗器５１で設定された設定電圧値および順変換回路１４から出力される出力電圧値の差を増幅するアンプ５２と、設定電圧値および出力電圧値の差に基づいて順変換回路１４のサイリスタ１６の制御遅れ角を調整するフェイズコントローラ５３と、このフェイズコントローラ５３の出力信号を増幅してサイリスタ１６を駆動する駆動アンプ５４とが設けられている。
以上の他に、順変換制御回路４３には、押しボタンスイッチ５５による起動指令信号を受けることにより、インバータ回路１１の起動／停止を行う起動／停止回路５６と、順変換回路１４の出力電流が入力されるとともに、その電流値が所定の範囲から逸脱すると遮断信号を出力するトリップ回路５７と、このトリップ回路５７の出力信号でサイリスタ１６を遮断状態にするための遮断駆動アンプ５８とが設けられている。
【００２１】
ここで、インバータ回路１１の起動時の過渡状態においては、順変換回路１４から出力される出力電流が所定の範囲よりも小さい期間、あるいは、ラッシュ電流となって一時的に所定の範囲を超える期間等がある。これらの期間において、サイリスタ１６を遮断状態にすると、インバータ回路１１は、いつまでも定常状態に達しないので、起動／停止回路５６は、起動時の過渡状態から定常状態に達するのに必要な時間だけ、トリップ回路５７へ休止信号を送出し、トリップ回路５７の動作を一時的に休止させるように設定されている。
また、起動／停止回路５６には、押しボタンスイッチ５５による起動指令信号だけでなく、並列運転信号入力端子４９で受けられた並列運転信号も入力されるようになっている。起動／停止回路５６は、起動指令信号および並列運転信号の少なくとも一方が入力されると、順変換制御回路４３のフェイズコントローラ５３および逆変換制御回路４４に対して、作動許可信号を送出するようになっている。
【００２２】
逆変換制御回路４４は、逆変換回路１５の出力電圧および出力電流が同位相となるように、逆変換回路１５のＩＧＢＴ１７への制御電圧信号を送出する周期を調節するものである。この逆変換制御回路４４の制御動作により、逆変換回路１５の出力周波数が負荷の共振周波数と一致するようになっている。
逆変換制御回路４４には、逆変換回路１５の出力電圧および出力電流の位相差を検出するとともに、この位相差に応じた電圧信号を出力する位相差検出回路６１と、位相差検出回路６１から出力される電圧信号に応じた周波数の信号を発振する電圧制御発振器６２と、電圧制御発振器６２から出力される信号の周波数に応じて、二つの出力ポートから交互に駆動信号を送出するフリップフロップ６３と、このフリップフロップ６３の二つの出力ポートから出力される駆動信号に、必要となる転流期間に応じた重なり角βを設定するとともに、この重なり角βを逆変換回路１５の出力電流に応じて補正する重なり角補正回路６４と、この重なり角補正回路６４の出力信号を増幅してＩＧＢＴ１７を駆動する駆動アンプ６５，６６と、インバータ回路１１，１２の両方の出力電流が入力され、これらの出力電圧を比較するとともに、これらの電流のうち大きな方を選択する比較選択回路６７とが設けられている。
なお、駆動アンプ６５の出力は、逆変換回路１５に設けられたスイッチング素子１５Ａ  を形成するＩＧＢＴ１７に送出される一方、駆動アンプ６６の出力は、逆変換回路１５に設けられたスイッチング素子１５Ｂ  を形成するＩＧＢＴ１７に送出されるようになっている（図４参照）。
【００２３】
ここで、位相差検出回路６１、電圧制御発振器６２およびフリップフロップ６３は、逆変換回路１５のスイッチング素子１５Ａ，  １５Ｂを交互に導通させる駆動信号を発生するとともに、スイッチング素子１５Ａ，  １５Ｂの交互駆動にあたり、これらのスイッチング素子１５Ａ，  １５Ｂの導通周期が、負荷の共振周波数となるように制御する位相制御手段となっている。
重なり角補正回路６４には、インバータ回路１１，１２の出力電流うち、比較選択回路６７が選択した大きな出力電流が入力されるようになっている。これにより、重なり角補正回路６４および比較選択回路６７は、逆変換回路１５の転流期間を表す重なり角βを、インバータ回路１１，１２の出力電流のうち最も大きなものに基づいて補正する重なり角補正手段となっている。
【００２４】
制御回路４２には、制御回路４１と同様に、インバータ回路１２の順変換回路１４を制御する順変換制御回路４３と、同インバータ回路１１の逆変換回路１５を制御する逆変換制御回路７０と、インバータ回路１２から送出される各種の信号を受けるために、直流電圧入力端子７１、直流電流入力端子７２、交流電圧入力端子７３および交流電流入力端子７４と、手動操作等により送出される並列運転信号を受ける並列運転信号入力端子７５とが設けられている。ここで、直流電圧入力端子７１、直流電流入力端子７２、交流電圧入力端子７３および交流電流入力端子７４の各々は、インバータ回路１２の直流電圧検出端子３３、直流電流検出端子３４、交流電圧検出端子３５および交流電流検出端子３６とそれぞれ電気的に接続されている。
順変換制御回路４３は、制御回路４１に設けられたものと同一構成であるので、その説明を省略する。
逆変換制御回路７０は、制御回路４１に設けられた逆変換制御回路４４から比較選択回路６７を省略した以外は、逆変換制御回路４４と同一構成となっている。
ここで、逆変換制御回路７０の重なり角補正回路６４は、マスターインバータ回路１１側の比較選択回路６７が選択した電流を受け、この電流に基づいて、スレーブインバータ回路１２に設けられた逆変換回路１５の重なり角βを補正するようになっている。
【００２５】
前述のような本実施形態によれば、次のような効果がある。
すなわち、二つの電流型インバータ回路１１，１２が並列駆動可能となった並列インバータ装置１０の制御回路４１、４２に、逆変換回路１５の重なり角βを負荷に応じて補正する重なり角補正手段として、電流型インバータ回路１１，１２の出力電流のうち最も大きなものに基づいて重なり角βを補正する逆変換制御回路４４，７０を設けたので、各電流型インバータ回路１１，１２の出力電流の大きさが相違していても、同一の重なり角βで転流が制御され、出力電流の同期が損なわれない。
そのうえ、複数系統の電流型インバータ回路１１，１２の出力電流のうち最大となる出力電流で重なり角βを補正するので、電流型インバータ回路１１，１２の両方で転流期間が不足することはなく、出力電流が負荷のインピーダンス変動に対して進むことはあっても、遅れることはなく、大きなサージ電圧が発生する等の不具合の発生を未然に防止できる。
【００２６】
また、並列型インバータ装置１０の一方のマスターインバータ回路１１の逆変換回路１５を制御する逆変換制御回路４４に、マスターおよびスレーブのインバータ回路１１，１２の各出力電流を比較するとともに、これらの電流のうち大きな方を選択する比較選択回路６７と、この比較選択回路６７が選択した電流に基づいて重なり角βを補正する重なり角補正回路６４とを設け、スレーブインバータ回路１２の逆変換回路１５を制御する逆変換制御回路７０に、マスター側の逆変換制御回路４４に設けた比較選択回路６７が選択した電流に基づいて重なり角βを補正する重なり角補正回路６４を設けたので、スレーブインバータ回路１２には、比較選択回路６７が不要となり、並列型インバータ装置１０の構成を簡略化することができ、信頼性を向上させることができる。
【００２７】
さらに、逆変換制御回路４３に位相差検出回路６１、電圧制御発振器６２およびフリップフロップ６３を設け、逆変換回路１５に設けた複数のスイッチング素子１５Ａ，  １５Ｂを交互に導通させるにあたり、これらのスイッチング素子１５Ａ，  １５Ｂの導通周期が、負荷の共振周波数となるように制御するようにしたので、負荷には、その共振周波数となる交流電力が供給されるようになり、負荷の高効率運転を実現できるうえ、並列型インバータ装置１０は、負荷のインピーダンスが変動しても、当該変動に応じて重なり角βが適切に補正されるようになるので、負荷のインピーダンスが変動しても、当該負荷の高効率運転を安定状態で維持することができる。
【００２８】
また、インバータ回路１１，１２の逆変換回路１５に二つのＩＧＢＴ１７を設けることにより、ＩＧＢＴ１７の耐電圧を向上させ、逆変換回路１５の出力電圧を高めることを可能とするとともに、出力段に降圧用のマッチングトランス１３を設け、以上により、逆変換回路１５の出力電圧を高めて、マッチングトランス１３の出力電流を増大させるようにしたので、ＩＧＢＴ１７の限界となる電流値よりも著しく大きな電流を出力することができる。
【００２９】
以上、本発明について好適な実施形態を挙げて説明したが、本発明は、この実施形態に限られるものでなく、本発明の要旨を逸脱しない範囲において種々の改良並びに設計の変更が可能である。
すなわち、順変換回路としては、サイリスタで整流を行うものに限らず、チョッパーで整流を行うチョッパー式の順変換回路でもよい。
また、逆変換回路のスイッチイング素子としては、ＩＧＢＴに限らず、一般的なバイポーラ式パワートランジスタや、ＭＯＳＦＥＴでもよいが、高周波の電流出力を得る場合には、高速スイッチング動作が可能で、電流容量の大きいＩＧＢＴを採用することが望ましい。
さらに、並列インバータ装置に設けられるインバータ回路の数は、二系統に限らず、三系統以上でもよい。
【００３０】
【発明の効果】
前述のように、本発明によれば、複数系統のインバータ回路が設けられていても、各出力電流を同期させながら、重なり角βを適切に補正できる。
【図面の簡単な説明】
【図１】本発明の実施の一形態に係る並列型インバータ装置を示す単結線図である。
【図２】前記実施形態の制御回路を示すブロック図である。
【図３】従来例を示す単結線図である。
【図４】従来例の逆変換回路を示す回路図である。
【符号の説明】
１０  並列型インバータ装置
１１  電流型インバータ回路であるマスターインバータ回路
１２  電流型インバータ回路であるスレーブインバータ回路
１４  順変換回路
１５  逆変換回路
１５Ａ，  １５Ｂ  スイッチング素子
１７  スイッチング素子としてのＩＧＢＴ
６１  位相制御手段を構成する位相差検出回路
６２  位相制御手段を構成する電圧制御発振器
６３  位相制御手段を構成するフリップフロップ
６４  重なり角補正手段を構成する重なり角補正回路
６７  重なり角補正手段を構成する比較選択回路
【図１】
0003602333.tif 000003
【図２】
0003602333.tif 000004
【図３】
0003602333.tif 000005
【図４】
0003602333.tif 000006